(57)【要約】【課題】  不測に尻栓が外れて紛失することを防止できるとともに、元竿の尻栓を装着した外周面部の保護と、元竿を握った場合に、グリップ性能を高める釣り竿の尻栓取付構造を提供する。【解決手段】    元竿１に中間取付体２を外嵌する状態で固着する。中間取付体２の内部空間に嵌入された元竿１の竿尻端部１Ａの内側に尻栓３を螺着する。元竿１を中間取付体２に対して、尻栓３の竿尻側端が中間取付体２の竿尻端より竿先側に位置する状態に装着する。中間取付体２の外周面に係合用突条体２Ｂを立設し、その係合用突条体２Ｂに係合する係合凹部４Ｄを形成した握り部４を中間取付体２に係合させて、中間取付体２に対して握り部４を周方向に回転自在に装着してある。【選択図】        図２
2015042158.tif 000002
【特許請求の範囲】
【請求項１】
元竿の竿尻端部に中間取付体を外嵌する状態で固着するとともに、前記中間取付体の内部空間に嵌入された前記元竿の竿尻端部の内側に尻栓を螺着し、前記尻栓を装着した前記元竿を前記中間取付体に対して、前記尻栓の竿尻側端が前記中間取付体の竿尻端より竿先側に位置する状態に装着し、前記中間取付体の外周面に環状の係合用突条体を立設し、その係合用突条体に係合する係合凹部を形成した握り部を前記中間取付体に係合させて、前記握り部で前記中間取付体を被覆するとともに、前記中間取付体に対して前記握り部を取り外し可能に装着してある釣竿の尻栓取付構造。
【請求項２】
前記中間取付体の係合用突条体の外周面における周方向の１８０度相対向する二か所に、前記外周面の円弧の一部を切除したカット部を形成してある請求項１記載の釣竿の尻栓取付構造。
【請求項３】
前記元竿にリールシートを有し、前記係合用突条体の外周面における周方向の１８０度相対向する二か所に、前記外周面の円弧の一部を切除したカット部を形成し、前記カット部を前記リールシートが装着してある円周方向での設置位相に対して９０度異なる位相に形成してある請求項１記載の釣竿の尻栓取付構造。
【請求項４】
前記中間取付体の竿先端部の外周面と前記中間取付体より竿先側に突出する元竿の外周面とに亘って、装飾リング体を外嵌装着し、前記装飾リング体の内周面に元竿の外周面に外嵌する小径部と前記中間取付体の竿先端部の外周面に外嵌する大径部とを形成し、前記装飾リング体の竿尻側端面を前記中間取付体の外周面から突出する環状突条体に当接させてある請求項１〜３のうちのいずれか一項に記載の釣竿の尻栓取付構造。
【請求項５】
前記中間取付体の竿尻端部に、その中間取付体内に内嵌されている元竿の竿尻端を当接させる段差部を形成している請求項１〜４のうちのいずれか一項に記載の釣竿の尻栓取付構造。
【請求項６】
前記尻栓を、前記元竿の竿尻端部内周面に螺着される螺着部と、螺着部を支持している摘み本体部とで構成し、螺着部を元竿に螺着した状態で、前記摘み本体部の竿先端面を前記元竿の竿尻端面竿尻側から当接させて位置決めしてある請求項５記載の釣竿の尻栓取付構造。
【請求項７】
前記中間取付体における竿先端部の内周面に、肉厚内に入り込む凹入溝を形成してある請求項１〜６の内のいずれか一項に記載の釣竿の尻栓取付構造。
【発明の詳細な説明】
【技術分野】
【０００１】
本発明は、元竿の竿尻端に尻栓を取り付けている釣り竿の尻栓取付構造に関する。
【背景技術】
【０００２】
尻栓は、栓体３０の先部３１に雄ネジ部３１ａを形成し、雄ネジ部３１ａの後端に摘み操作部としての弾性キャップ５０が圧着して装着してある。一方、元竿管１０の竿尻端の内周面には、先部３１の雄ネジ部３１ａを螺着する雌ネジ部１０ａが形成してある。元竿の雌ネジ部１０ａに尻栓の雄ネジ部を螺着して尻栓を取り付ける。尻栓を元竿管１０に装着した状態で、摘み操作部が元竿管１０の竿尻端より後方に突出する構成を採っている（例えば、特許文献１）。
【先行技術文献】
【特許文献】
【０００３】
【特許文献１】特開２００７−６０９５９号公報（段落番号〔００１７〕〜〔００１９〕、図２，図３）
【発明の概要】
【発明が解決しようとする課題】
【０００４】
上記した構成においては、栓体３０を元竿管１０の竿尻端部における内部空間内に位置させる状態で螺着しているので、元竿管１０の竿尻端部は、外部に表出した状態にあり、磯等において、釣り竿としての振出竿を、その尻栓側を接地する状態で立掛けておく場合に、竿尻端部が石や岩等に接触して傷つくことがある。
釣りを行っている途中で、針掛かりした魚が横走りしたり、水中に潜り込みを行う場合に、釣り人は魚の動きを抑える（矯める）為に、膝を前方に向けて少し折り曲げ腰を落として腹に尻栓を当て付け、釣り竿を操作することがある。
このような場合には、尻栓の摘み操作部が腹に強く押し付けられているので、釣り人が釣り竿を左右や前後に操作する場合に尻栓が緩み操作されることがある。
また、その他の理由で尻栓が緩みを生じている場合があり、そのことに気付かずに釣りを続けていると、尻栓を紛失することもある。
【０００５】
本発明の目的は、尻栓の元竿への取付構造に工夫を加えることによって、不測に尻栓が外れて紛失することを防止できるとともに、元竿の尻栓を装着した外周面部の保護と、元竿を握った場合に、グリップ性能を高める釣り竿の尻栓取付構造を提供する点にある。
【課題を解決するための手段】
【０００６】
〔構成〕
請求項１に係る発明の特徴構成は、元竿の竿尻端部に中間取付体を外嵌する状態で固着するとともに、前記中間取付体の内部空間に嵌入された前記元竿の竿尻端部の内側に尻栓を螺着し、前記尻栓を装着した前記元竿を前記中間取付体に対して、前記尻栓の竿尻側端が前記中間取付体の竿尻端より竿先側に位置する状態に装着し、前記中間取付体の外周面に環状の係合用突条体を立設し、その係合用突条体に係合する係合凹部を形成した握り部を前記中間取付体に係合させて、前記握り部で前記中間取付体を被覆するとともに、前記中間取付体に対して前記握り部を取り外し可能に装着してある点にあり、その作用効果は次の通りである。
【０００７】
〔作用〕
尻栓を元竿の竿尻端部の内周面に螺合し、更に、竿尻端部の外周面に中間取付体を外嵌固着してある。このような構成によって、元竿の竿尻端部は中間取付体の内側で外部に表出することはなく、石や岩等の他物に接触して傷つくことはない。特に、中間取付体に対して更に握り部を被覆させているので、多重に保護されている。しかも、尻栓の螺着部位も中間取付体の内側に存在するので、従来技術等に比べて、砂等を噛むことは少ない。
そして、中間取付体を被覆する状態で握り部を形成しているので、握り部は元竿の径に比べて大きなものとなり、例えば、一方の手でリールシート部分を持ち、他方の手で握り部を握って魚を抜きあげる場合等に他方の手のグリップ力が高められているので、容易にかつ素早く抜きあげることができる。
握り部については、前記中間取付体の外周面に環状の係合用突条体を立設し、その係合用突条体に係合する係合凹部を形成してあるので、その係合状態においては、係合用突条体との係合を解除することはなく、前記中間取付体に対して握り部は遊転可能である。そして、握り部は釣り人が意志を持って離脱力を加えれば、取り外し可能である。
したがって、握り部が釣り人の体等に接触しても自由回転するだけで、何ら操作力は及ぼさない。それに加えて、前記尻栓の竿尻側端が前記中間取付体の竿尻端より突出しないように竿先側に位置する状態に装着してあるので、握り部が回転しても尻栓にその握り部が接触することはなく、尻栓が緩み操作されることはない。
【０００８】
〔効果〕
不測に尻栓が外れて紛失することを防止できるとともに、元竿の尻栓を装着した外周面部の保護と、元竿を握った場合に、グリップ性能を高める釣り竿の尻栓取付構造を提供することができた。
【０００９】
〔構成〕
請求項２に係る発明の特徴構成は、前記中間取付体の係合用突条体の外周面における周方向の１８０度相対向する二か所に、前記外周面の円弧の一部を切除したカット部を形成してある点にあり、その作用効果は次の通りである。
【００１０】
〔作用効果〕
つまり、前記中間取付体の係合用突条体は、環状のものであるが、全周に亘って同じ高さの突条が形成されている訳ではなく、一部外周面の切除されたカット部がある。このカット部を１８０度相対向する二か所に設けることによって、カット部に対応した握り部を摘まんで、竿軸芯に直交する軸芯周りで握り部を回転させると、中間取付体の係合用突条体に握り部の係合凹部を係合させて装着することができ、かつ、係合離脱させることが容易に行える。
【００１１】
〔構成〕
請求項３に係る発明の特徴構成は、前記元竿にリールシートを有し、前記係合用突条体の外周面における周方向の１８０度相対向する二か所に、前記外周面の円弧の一部を切除したカット部を形成し、前記カット部を前記リールシートが装着してある円周方向での設置位相に対して９０度異なる位相に形成してある点にあり、その作用効果は次の通りである。
【００１２】
〔作用効果〕
図７に示すように、魚を釣り上げる場合には、図外の左手でリールシート部位を握り、右手で元竿の竿尻端部に装着した握り部部位を握って抜きあげようとする。そうすると、右手は図示する矢印のように、斜め前方下向きに握り部を押し下げ、釣り竿全体のバランスを保持しようとする。
【００１３】
ここで、前述した前記係合用突条体の外周面におけるカット部について考えてみると、例えば、この二つのカット部同士が、図７（ａ）において、竿軸芯Ｘを挟んで上下二か所に１８０度離れて形成されていた場合には、図示する矢印のような荷重が作用した場合には、握り部３は前記係合用突条体２Ｂとの係合を解除して外れる可能性もある。
しかし、本願発明においては、図７（ｂ）に示すように、前記カット部２ａを前記リールシート６が装着してある円周方向での設置位相に対して９０度異なる位相に形成してあるので、前記リールシート６が装着してある円周方向での設置位相にはカット部２ａの形成していない部分が位置している。これによって、握り部が図示する押し下げ力に対抗することができ、容易には取り外されることはない。一方、握り部を取り外して元竿内の水抜き等を行う場合には、図７（ａ）の状態から９０度振出竿を回転させて、その状態で図の矢印方向に力を強く加えると握り部を中間取付体２から容易に取り外すことができる。
【００１４】
〔構成〕
請求項４に係る発明の特徴構成は、前記中間取付体の竿先端部の外周面と前記中間取付体より竿先側に突出する元竿の外周面とに亘って、装飾リング体を外嵌装着し、前記装飾リング体の内周面に元竿の外周面に外嵌する小径部と前記中間取付体の竿先端部の外周面に外嵌する大径部とを形成し、前記装飾リング体の竿尻側端面を前記中間取付体の外周面から突出する環状突条体に当接させてある点にあり、その作用効果は次の通りである。
【００１５】
〔作用効果〕
装飾リング体によって、中間取付体の竿先端と元竿の外周面との間に形成される段差が被覆されて、元竿外周面との間に滑らかに繋がる外装を形成することができた。
しかも、装飾リング体は、前記中間取付体の外周面から突出する環状突条体に当接させてあるので、中間取付体を基準とした取り合いを正確なものにできる。
【００１６】
〔構成〕
請求項５に係る発明の特徴構成は、前記中間取付体の竿尻端部に、その中間取付体内に内嵌されている元竿の竿尻端を当接させる段差部を形成している点にあり、その作用効果は次の通りである。
【００１７】
〔作用効果〕
この段差を形成することによって、元竿と中間取付体との連結位置決め状態が明確になり、請求項１で記載した「前記尻栓の竿尻側端が前記中間取付体の竿尻端より突出しないように竿先側に位置する状態に装着し」とする構成も容易に形成できる。
【００１８】
請求項６に係る発明の特徴構成は、前記尻栓を、前記元竿の竿尻端部内周面に螺着される螺着部と、螺着部を支持している摘み本体部とで構成し、螺着部を元竿に螺着した状態で、前記摘み本体部の竿先端面を前記元竿の竿尻端面に竿尻側から当接させて位置決めしてある点にあり、その作用効果は次の通りである。
【００１９】
〔作用効果〕
尻栓の摘み本体部を回転させて、前記摘み本体部の竿先端面が前記元竿の竿尻端面に竿尻側から当接した時点で、尻栓の位置決めができ、請求項１で記載した「前記尻栓の竿尻側端が前記中間取付体の竿尻端より突出しないように竿先側に位置する状態に装着し」とする構成も容易に形成できる。
【００２０】
〔構成〕
請求項７に係る発明の特徴構成は、前記中間取付体における竿先端の内周面に、肉厚内に入り込む凹入溝を形成してある点にあり、その作用効果は次の通りである。
【００２１】
〔作用効果〕
元竿の竿尻端部を中間取付体内に挿入して接着剤を流し込んで固着する際に、その凹入溝が接着剤の溜り場となり、接着剤の塗布をより有効なものにできる。
【図面の簡単な説明】
【００２２】
【図１】図１は、リールシートを装着した釣り竿の尻栓取付構造を示す側面図である。
【図２】図２は、尻栓、元竿、中間取付体、握り部、装飾リング体の取付関係を示す縦断側面図である。
【図３】図３は中間取付体を示し、（ａ）竿先側から見た正面図、（ｂ）縦断側面図、（ｃ）竿尻側から見た背面図である。
【図４】図４は握り部を示し、（ａ）竿先側から見た正面図、（ｂ）側面図、（ｃ）竿尻側から見た背面図、（ｄ）縦断側面図である。
【図５】図５は装飾リング体を示し、（ａ）竿先側から見た正面図、（ｂ）側面図、（ｃ）竿尻側から見た背面図、（ｄ）縦断側面図である。
【図６】図６は、元竿、尻栓、装飾リング体、中間取付体、握り部を取り付ける前の状態を示す分解縦断側面図である。
【図７】図７（ａ）は、釣操作時の握り部を示す側面図であり、（ｂ）は、中間取付体の係合用突条体のカット部を示す背面図である。
【図８】図８（ａ）（ｂ）（ｃ）は、握り部の内面に形成した係合凹部を示す断面図である。
【発明を実施するための形態】
【００２３】
〔第１実施形態〕
磯竿等に使用される釣り竿Ａの構成について説明する。図１に示すように、元竿１にリールシート６を装着し、元竿１の竿尻端に尻栓３を覆う握り部４を設けて、釣り竿Ａを構成してある。
【００２４】
図２に示すように、元竿１の竿尻端部１Ａの外周面に中間取付体２を外嵌して装着し、中間取付体２の竿先側に装飾リング体５を元竿１の外周面と中間取付体２の外面とに亘る状態で設け、中間取付体２の竿尻側に大径の握り部４を装着し、元竿１の内部に位置する状態で尻栓３を螺着して、釣り竿Ａを構成してある。
【００２５】
尻栓３について説明する。図２及び図３に示すように、尻栓３は合成樹脂製であり、竿尻側の厚肉板状の大径の摘み本体部３Ａから竿先側に向けて筒状の螺着部３Ｂが延出されて形成されている。螺着部３Ｂの外周面には雄ねじ部３ａが形成してあり、内部に空間が形成されるとともに、雄ねじ部３ａの竿尻端には、摘み本体部３Ａの大径外周面との境界位置に段差部３ｃが形成されている。摘み本体部３Ａの竿尻側端面には、コイン等の適当な操作具を装入するスリ割り状の差込穴部３ｂが形成されている。差込穴部３ｂは、竿尻側端面を竿先側に向けて膨出形成した袋状の穴部であり、この袋状の穴部の竿先側に位置する奥側壁部３ｄに排水用の孔３ｅが設けてある。
【００２６】
次に、尻栓３の取付構造について説明する。図２及び図３に示すように、元竿１の竿尻端部１Ａの内周面に開口から内部に向けて一定範囲に亘って雌ねじ部１ｃを形成する。尻栓３を竿尻端部１Ａの内周面に螺着した状態で、尻栓３の大径の摘み本体部３Ａの竿先側に形成してある段差部３ｃが、元竿１の竿尻端面に当接することによって、尻栓３が位置決めされる。
【００２７】
尻栓３の螺着部３Ｂの内部空間には、中子栓７が装着してある。中子栓７は厚肉円盤状の栓であり、外周面に段差部７ａを設けて、竿先側端部を尻栓３より竿先側に突出する状態で尻栓３に装着してある。この中子栓７によって、中竿等の抜け落ちを阻止すべく構成してある。
【００２８】
中間取付体２について説明する。図３に示すように、中間取付体２は合成樹脂製の筒状体である。外周面に環状突条体としての大径の大径環状突条体２Ａと、大径環状突条体２Ａの竿尻側に小径の係合用突条体２Ｂとを突設している。大径環状突条体２Ａは、図３（ｃ）に示すように、全周に亘って円弧を呈するものであるが、係合用突条体２Ｂについては、外周面の円弧の一部を切除してカット部２ａ、２ａを円周方向の二か所に形成してある。
【００２９】
より具体的は、図１に示すように、元竿１の上面にリールシート６を装着した場合には、図３（ｃ）の円周方向の０度の位相にリールシート６が位置する。このリールシート６の設置位置を基準に、円周方向９０度の位置にカット部２ａ、２ａが形成されている。
これによって、請求項３の作用効果の項で示したように、図７において、魚を釣り上げる場合には、図外の左手でリールシート部位を握り、右手で握り部４を握って抜きあげようとする場合に、右手は矢印のように、斜め前方下向きに握り部４を押し下げて、振出竿全体のバランスを保持しようとする。
【００３０】
この二つのカット部２ａ、２ａ同士が、図７において、仮に、竿軸芯Ｘを挟んで上下二か所に１８０度離れて形成されていた場合には、図示する矢印のような荷重が作用した場合には、握り部４は係合用突条体２Ｂとの係合を解除して外れる可能性もある。
しかし、本願発明においては、図３（ｃ）、及び、図７（ｂ）に示すように、前記カット部２ａ、２ａをリールシート６が装着してある円周方向での設置位相に対して９０度異なる位相に形成してある。それによって、リールシート６が装着してある円周方向での設置位相にはカット部２ａの形成していない部分が位置している。
【００３１】
これによって、握り部４が図示する押し下げ力に対抗することができ、容易には取り外されることはない。一方、握り部４を取り外して元竿内の水抜き等を行う場合には、図７の状態から９０度振出竿を回転させて、その状態で図の矢印方向に力を強く加えると握り部４を中間取付体２から容易に取り外すことができる。
【００３２】
図３に示すように、中間取付体２の内周面には、竿先側開口端から竿尻側近くまで大径内周面部２Ｃを形成するとともにその竿尻端部において竿尻側開口端にかけて僅かに小さな小径内周面部２Ｄを形成してある。大径内周面部２Ｃと小径内周面部２Ｄとの接続部位に段差部２ｂを形成し、大径内周面部２Ｃ内に挿入されて接着固定される元竿１の竿尻端を当接させて、元竿１の位置決めを行うように設定してある。
図２に示すように、小径内周面部２Ｄの段差部２ｂから竿尻端開口までの長さは、元竿１の竿尻端に取り付けた尻栓３の竿尻端が、小径内周面部２Ｄの竿尻端開口より竿尻側に突出しない長さに設定してある。
【００３３】
図３（ｂ）に示すように、大径内周面部２Ｃにおいて竿先側開口２ｄから内部空間内に入って大径環状突条体２Ａの形成位置までの長さに亘って肉厚内に入り込む凹入溝２ｅを円周方向４か所に亘って形成してある。
この凹入溝４ｅによって接着剤の溜り場を形成し、接着剤を元竿周面に広く行き渡らせるようにしてある。
【００３４】
次に握り部４について説明する。図４に示すように、握り部４はＮＢＲ等の軟質合成ゴムで出来ており、竿先側端から竿尻側端に掛けて徐々に外形を拡径させる形状に形成されており、竿先側端に竿先開口４Ａを形成してある。
図２に示すように、竿先開口４Ａから竿尻側に向けて一定内径の内周面４Ｂが形成された筒状部４Ｃを備え、尻栓３、中間取付体２、元竿１を収納する内部空間を形成してある。
【００３５】
図２に示すように、筒状部４Ｃの内周面４Ｂを竿尻端側から中間取付体２に被せて被覆し、握り部４の竿先側端面４ａを中間取付体２の大径環状突条体２Ａの竿尻側端面に当接させて握り部４を位置決め装着してある。
筒状部４Ｃにおける竿先側端面４ａから内部空間に入り込んだ位置に、肉厚内に入り込む係合凹部４Ｄを形成してある。係合凹部４Ｄは、図８（ａ）に示すように、断面が略台形に近い形状に形成された環状溝であり、中間取付体２の係合用突条体２Ｂに係合する。係合凹部４Ｄの断面形状は、内周面での開口部ａが幅広い（握り部の軸線方向に沿った）もので、外周面側に入り込んで行く程幅ｂが狭くなる略台形状に形成してある。
【００３６】
一方、係合用突条体２Ｂの幅は基端部から先端部まで一定であり、係合凹部４Ｄの奥側の幅より小さな幅に形成してある。したがって、係合凹部４Ｄを係合用突条体２Ｂに被せた状態で係合凹部４Ｄは係合用突条体２Ｂとの間に隙間を形成している。
図２に示すように、握り部４の内周面４Ｂの奥側端は、中間取付体２に装着した状態でその中間取付体２の竿尻側端より僅かに竿尻側に離間する状態に形成してある。しかも、握り部４の内周面４Ｂと中間取付体２の外周面との間に僅かな隙間ｆを形成して、中間取付体２に対して握り部４を周方向に回転自在に装着してある。
但し、必ずしも隙間ｆを形成する必要はなく、握り部４の内周面４Ｂと中間取付体２の外周面とが接触する状態であっても、握り部４が中間取付体２に対して回転可能で、かつ、取り外し可能である構成を取っていればよい。
【００３７】
係合凹部４Ｄの断面形状としては、次のようなものでもよい。
図８（ｂ）に示すように、略台形状のものであるが、壁の傾斜を二段階に切り替えるものである。つまり、入口側に近い壁ｃでは緩い傾斜に形成し、次に、奥側の壁ｄでは、急な傾斜のものにして、係合凹部４Ｄを係合用突条体２Ｂに係合させる際には、緩やかな傾斜で導入しやすくし、係合が完了した状態では、緊密に密着して握り部４の軸線方向でのガタツキを抑制する構成とすることができる。
図８（ｃ）に示すように、丸みを帯びた孔ｅに形成してもよい。係合凹部４Ｄを係合用突条体２Ｂに係合させる際には、緩やかな傾斜で導入しやすくし、係合が完了した状態でも緩やかな係合状態を維持して握り部４の自由な動きを抑制しない構成とすることができる。
【００３８】
握り部４において、図２及び図４に示すように、尻栓３、中間取付体２、元竿１を収納する内部空間より更に竿尻端側には、筒状部４Ｃの竿尻端側を閉塞する閉塞端部４Ｅを形成し、竿先側の内部空間を形成する筒状部４Ｃより圧縮性の高い握り部としてある。
ただし、閉塞端部４Ｅであっても、竿尻端面に竿先側に向かう凹入部４Ｆが形成してあり、筒状部４Ｃとの剛性の違いが大きくならないように構成してある。凹入部４Ｆの外側に軸線Ｘに直交する平坦面４ｂが形成してある。
握り部４の外周面には、軸線方向に沿った二か所に環状の鍔部４Ｇ、４Ｇが突設形成してあり、握った場合に、手指の滑り止めとして機能する。
【００３９】
装飾リング体５について説明する。図１、２、５に示すように、装飾リング体５は、金属製のリング体であり、内部に小径部５Ａと大径部５Ｂとからなる内部空間を有し、外部に竿尻側程大径化する傾斜外周面５Ｃとを形成してある。
図５（ｄ）に示すように、小径部５Ａは、竿先側から中間位置を越えて竿尻側に入った状態で内部空間を形成してあり、元竿１の外周面に外嵌される。大径部５Ｂは、中間取付体２における大径環状突条体２Ａより竿先側に位置する外周面に外嵌される。
このように、装飾リング体５は、元竿１の竿尻端部１Ａの外周面と中間取付体２の外周面とに亘って外嵌されて、元竿１と握り部４との外周面を段差のない状態で連続させる構成をとっている。
【００４０】
装飾リング体５の外周面には、竿先端部に径が一定の小径端面部５ａが形成され、その小径端面部５ａの竿尻側に傾斜外周面５Ｃが続き、傾斜外周面５Ｃの竿尻端側に一定径の大径端面部５ｂが形成してある。そして、傾斜外周面５Ｃの中間位置に、環状の凹入溝５ｃが形成してあり、装飾効果を高めている。
【００４１】
小径部５Ａと大径部５Ｂとに境界位置に段差部５ｄが形成されている。大径部５Ｂを中間取付体２の竿先側外周面に外嵌固定した際に、段差部５ｄが図２に示すように中間取付体２の竿先側端面から少し離間した位置にあるとともに、装飾リング体５の竿尻側端面が中間取付体２の大径環状突条体２Ａの竿先側端面に当接することによって、装飾リング体５の中間取付体２に対する位置決めをすることができる。
段差部５ｄと中間取付体２との間に間隙を形成することによって、その間隙を、中間取付体２が元竿１に接着固定される際の接着剤の溜り部に形成してある。
【００４２】
〔別実施形態〕
（１）  本願発明は、リールシート６を有していない釣り竿にも適用できる。したがって、カット部２ａ、２ａ同士は、竿軸芯Ｘを挟んで円周方向１８０度離れて形成されているだけでよい。
【００４３】
（２）  握り部４が装着しやすく、釣操作時に外れ難い場合には、中間取付体２の係合用突条体２Ｂに形成されたカット部２ａ、２ａは必要としない。
【００４４】
（３）  装飾リング体５としては、樹脂に金属皮膜を施したものでもよい。
【産業上の利用可能性】
【００４５】
本願発明は、磯竿等に限定されるものではなく、外付けガイド竿、ガイド無し竿、中通し竿の尻栓３の取付構造に採用可能である。
【符号の説明】
【００４６】
１      元竿
１Ａ    竿尻端部
２      中間取付体
２Ｂ    係合用突条体
２ｂ    段差部
３      尻栓
３Ａ    摘み本体部
３Ｂ    螺着部
４      握り部
４Ｄ    係合凹部
５      装飾リング体
５Ａ    小径部
５Ｂ    大径部
５ｄ    段差部
【図１】
2015042158.tif 000003
【図２】
2015042158.tif 000004
【図３】
2015042158.tif 000005
【図４】
2015042158.tif 000006
【図５】
2015042158.tif 000007
【図６】
2015042158.tif 000008
【図７】
2015042158.tif 000009
【図８】
2015042158.tif 000010